(57)【要約】【課題】  軒樋の形状を問わず、軒樋配設施工における寸法測定作業を一人の施工者にて行わせ得るようにした固定具付き巻尺を提供する。【解決手段】  被測定物Ｂの端部にある板状部位の表裏を挟みつける一対の挟持部２をバネ３を介して連結し、このバネ３の付勢によって一対の挟持部２の先端同士が閉じると共に、バネ３の付勢に抗って一対の挟持部２の基端同士を近接させることで一対の挟持部２の先端同士が開くようなクリップ部４と、クリップ部４に挟んだ被測定物Ｂの端部を当接させる当接部５とを固定具１に備える。この固定具１を目盛帯６の先端に一体的に固定した。【選択図】      図１
2005134122.tif 000002
【特許請求の範囲】
【請求項１】
被測定物の端部にある板状部位の表裏を挟みつける一対の挟持部をバネを介して連結し、このバネの付勢によって一対の挟持部の先端同士が閉じると共に、バネの付勢に抗って一対の挟持部の基端同士を近接させることで一対の挟持部の先端同士が開くようなクリップ部と、クリップ部に挟んだ被測定物の端部を当接させる当接部とを固定具に備え、この固定具を目盛帯の先端に一体的に固定したことを特徴とする固定具付き巻尺。
【請求項２】
目盛帯の目盛りの０点と当接部との位置を一致させたことを特徴とする請求項１記載の固定具付き巻尺。
【請求項３】
クリップ部の先端に被測定物に引掛ける爪を設けたことを特徴とする請求項１記載の固定具付き巻尺。
【請求項４】
巻尺の通常使用時において被測定物に当接させる当り部を固定具に備え、この当り部の配設位置を目盛帯の長さ方向における当接部と同位置にしたことを特徴とする請求項１記載の固定具付き巻尺。
【請求項５】
一対の挟持部のうち一方の挟持部から他方の挟持部に向けて突片を突設し、上記突片を貫通させる貫通孔を他方の挟持部に穿孔し、上記突片の貫通孔を貫通する以前の部分で当接部を構成し、上記突片の貫通孔を貫通した以後の部分で当り部を構成したことを特徴とする請求項４記載の固定具付き巻尺。
【発明の詳細な説明】
【技術分野】
【０００１】
本発明は、軒樋配設施工に適用できる固定具付き巻尺に関するものである。
【背景技術】
【０００２】
従来から、軒樋配設施工では軒樋と軒樋との間を測定するなどの寸法測定作業は頻繁にある。たとえば屋根の軒先に沿って軒樋を配設するには、図９のように、軒樋製造工場で一定長さに製造された軒樋３０を屋根の軒先３２に沿わせて順に連設していくのであるが、屋根の軒樋方向の長さ寸法は必ずしも一定長さの軒樋３０の倍数ではないため、順に連設した最後の軒樋３０は適宜長さで切断されるものであり、この切断する軒樋３０の長さ寸法は施工現場での寸法測定により決定される。この寸法測定作業は、具体的には、脚立３３などに登った施工者Ｄが軒先３２に既に取り付けられた軒樋３０の長さ方向の端部に巻尺Ｃの目盛帯６の先端を合わせて保持し、他方、脚立３３などに登った施工者Ｅが所定位置の目盛帯６の目盛りを読むことで行われる。このように軒樋配設施工での寸法測定作業は、脚立３３などに登って行う高所での作業であって、通常、巻尺Ｃの目盛帯６の先端を押さえる施工者Ｄと、巻尺Ｃの目盛帯６の目盛りを読む施工者Ｅとの２人の施工者を同時に必要とする煩雑作業であった。したがって、この軒樋配設施工での寸法測定作業は、必要とされる施工者数を減らして作業の容易化が図られることが切望されていた。
【０００３】
ところで、特許文献１のように巻尺の目盛帯の先端に吸盤を付設したり、特許文献２のように巻尺の目盛帯の先端に永久磁石を付設したりして、巻尺の目盛帯の先端を被測定物に取付けるようにしたものはあり、この特殊な巻尺を用いて上記軒樋配設施工での寸法測定作業を行うことも考えられるが、軒樋は樹脂成形品である薄板壁で主体が構成されるのが一般的であり、また軒樋には丸型軒樋のように曲面状の壁面を有するものもあり、上記の吸盤や永久磁石では巻尺の目盛帯の先端を軒樋の端部に保持できないことが多く、採用するには困難であった。
【特許文献１】実開昭６０−５０１号公報
【特許文献２】実開平５−３６３０２号公報
【発明の開示】
【発明が解決しようとする課題】
【０００４】
本発明は上記の従来の問題点に鑑みて発明したものであって、軒樋の形状を問わず、軒樋配設施工における寸法測定作業を一人の施工者にて行わせ得るようにした固定具付き巻尺を提供することを課題とするものである。
【課題を解決するための手段】
【０００５】
上記課題を解決するために本発明の請求項１に係る固定具付き巻尺は、被測定物Ｂの端部にある板状部位の表裏を挟みつける一対の挟持部２をバネ３を介して連結し、このバネ３の付勢によって一対の挟持部２の先端同士が閉じると共に、バネ３の付勢に抗って一対の挟持部２の基端同士を近接させることで一対の挟持部２の先端同士が開くようなクリップ部４と、クリップ部４に挟んだ被測定物Ｂの端部を当接させる当接部５とを固定具１に備え、この固定具１を目盛帯６の先端に一体的に固定したことを特徴とする。
【０００６】
これによると、目盛帯６の先端に一体的に固定した固定具１には被測定物Ｂの端部にある板状部位の表裏を挟みつけるクリップ部４を備えているから、このクリップ部４によって被測定物Ｂの端部に目盛帯６の先端を取付けることができ、施工者が被測定物Ｂの端部に目盛帯６の先端を保持固定しないでも被測定物Ｂの端部からの寸法測定作業を行うことができるのであり、また、固定具１にはクリップ部４に挟んだ被測定物Ｂの端部を当接させる当接部５を備えているから、被測定物Ｂの端部を当接部５に当接させて目盛帯６の先端と被測定物Ｂの端部との距離を一定に保つようにでき、被測定物Ｂの端部からの寸法測定の正確性を確保できるのである。
【０００７】
また、請求項２に係る固定具付き巻尺は、請求項１において、目盛帯６の目盛り７の０点と当接部５との位置を一致させたことを特徴とする。これによると、当接部５に当接させて被測定物Ｂの端部に固定具１を取り付けた状態では、被測定物Ｂの端部を目盛帯６の目盛り７の０点と一致させることができ、軒樋３０の長手方向の端部からの寸法測定作業の利便性を向上できる。
【０００８】
また、請求項３に係る固定具付き巻尺は、請求項１において、クリップ部４の先端に被測定物Ｂに引掛ける爪８を設けたことを特徴とする。これによると、被測定物Ｂをクリップ部４で挟持した際に上記爪８を被測定物Ｂに引掛けることができ、被測定物Ｂへの巻尺の目盛帯６の先端の取付強度を向上させることができる。
【０００９】
また、請求項４に係る固定具付き巻尺は、請求項１において、巻尺の通常使用時において被測定物Ｂに当接させる当り部９を固定具１に備え、この当り部９の配設位置を目盛帯６の長さ方向における当接部５と同位置にしたことを特徴とする。これによると、クリップ部４によって被測定物Ｂに目盛帯６の先端を取付けて行う寸法測定も、また被測定物Ｂに目盛帯６の先端を当接させて行う通常の寸法測定も一の固定具付き巻尺Ａで行うことができ、固定具付き巻尺Ａの汎用性を向上させることができる。
【００１０】
また、請求項５に係る固定具付き巻尺は、請求項４において、一対の挟持部２のうち一方の挟持部２から他方の挟持部２に向けて突片１０を突設し、上記突片１０を貫通させる貫通孔１１を他方の挟持部２に穿孔し、上記突片１０の貫通孔１１を貫通する以前の部分で当接部５を構成し、上記突片の貫通孔１１を貫通した以後の部分で当り部９を構成したことを特徴とする。これによると、一対の挟持部２における対向する側及び対向しない側に位置する当接部５及び当り部９を一の突片１０によって構成させることができ、固定具付き巻尺Ａを簡単な構造にすることができる。
【発明の効果】
【００１１】
本発明の固定具付き巻尺は、目盛帯の先端に一体に固定した固定具に被測定物の端部にある板状部位の表裏を挟みつけるクリップ部を備えているので、このクリップ部にて被測定物の端部に目盛帯の先端を取付けることができ、またこのとき、固定具にはクリップ部に挟んだ被測定物の端部を当接させる当接部を備えているから、被測定物の端部を当接部に当接させて目盛帯の先端と被測定物の端部との距離を一定に保つようにできて被測定物の端部からの寸法測定の正確性を確保できるのであり、したがって、端部に板状部位のある被測定物として薄板壁で主体が構成される軒樋を考えた場合、すなわち軒樋の長手方向の端部からの寸法測定を行う場合には、寸法測定の正確性を確保しつつも軒樋の形状を問わずに目盛帯の先端を軒樋の長手方向の端部に取付けることができるのであって、軒樋の長手方向の端部からの寸法測定作業にあって従来必要とされた巻尺の目盛帯の先端を被測定物の端部に保持固定させる施工者が不要となり、目盛帯の目盛りを読む一人の施工者のみで行わせることができることから、寸法測定作業の容易化を図ることができる。
【発明を実施するための最良の形態】
【００１２】
本発明の固定具付き巻尺Ａは、目盛帯６の先端に固定具１を一体に固定し、この固定具１に、被測定物Ｂの端部にある板状部位の表裏を挟持可能にするクリップ部４や、クリップ部４に挟んだ被測定物Ｂの端部を当接させる当接部５を設けたことで、薄板壁３０ａで主体が形成される軒樋３０などの被測定物Ｂの端部に目盛帯６の先端を一定の状態で取付けることを可能にし、従来二人の施工者Ｄ，Ｅが必要とされた軒樋３０の長手方向の端部からの寸法測定作業を、寸法測定の正確性を維持しながらも一人の施工者Ｅで行えるようにし、作業性の向上を図り得るようにしたものである。
【００１３】
図１〜図３には本発明の実施の形態の例を示す。図２には、本例の固定具付き巻尺Ａの目盛帯６の先端部位に固定される固定具１を示す。この固定具１は、先端が接するように対向配置した一対の挟持部２を有し、この一対の挟持部２の基端部同士をバネ３で連結し、第１の挟持部２ａに目盛帯６の先端を一体に固定させる固定部１２を設け、第２の挟持部２ｂにその基端側に延出する掴み部１３を設けて構成されている。具体的には、本例の固定具１は、一枚の矩形状の板材をその長手方向の中央部分の２ヵ所で折曲げて上記板材の長手方向の端部同士を接するようにし、この板材の折り曲げ部分の間の部位で板状のバネ３を構成すると共に、折り曲げ部分から板材の長手方向の端部までの部位で第１及び第２の挟持部２ａ，２ｂを構成するようにし、更に、上記バネ３の幅方向の中央部分に切り込み１４を入れて第１の挟持部２ａの基端側に向けて延出するように突片状の固定部１２を切り起し、第２の挟持部２ｂの対向面に矩形片状の掴み部１３をスポット溶接によって一体に積層固着し、この掴み部１３をバネ３にある切り込み１４に通して第２の挟持部２ｂの基端側に向けて突出することで形成されており、つまり、本例の固定具１はほとんど一枚の板材を加工することで形成されるから、製造の容易性が確保されている。
【００１４】
ここで、クリップ部４は一対の挟持部２（第１及び第２の挟持部２ａ，２ｂ）をバネ３で連結したことで構成されており、バネ３の付勢によって一対の挟持部２の先端同士が閉じると共に、バネ３の付勢に抗って一対の挟持部２の基端同士を近接させることで一対の挟持部２の先端同士が開くようにされている。なお、第２の挟持部２ｂの基端側に延設された掴み部１３によると、クリップ部４を開ける際に容易に指をかけることができてクリップ部４の開き操作を容易にしている。また、このクリップ部４は、開閉する一対の挟持部２の先端間から被測定物Ｂの板状部位が一対の挟持部２の間に挿入されるのであり、この一対の挟持部２の間に被測定物Ｂの板状部位を挿入し続けると被測定物Ｂの端部はバネ３の内面に当接するから、このバネ３が上記当接部５を構成している。
【００１５】
また、挟持部２の先端部位には他方の挟持部２に向けて突出する爪８が突設されている。本例では、この爪８は一対の挟持部２の先端部位にそれぞれ突設されており、この爪８のみで挟持部２の先端同士が接するようにされている。また、固定部１２は目盛帯６の先端に添設させるように目盛帯６の断面と同様の断面形状（本例では円弧状断面）に施されると共に、この固定部１２には固定具１を目盛帯６の先端に固定するハトメやネジなどの固定具１を挿入させる貫通孔１５が穿設されている。そして、上述した固定具１を目盛帯６の先端に固定したときには、固定具１の先端―基端方向が目盛帯６の長さ方向と同方向となると共に、目盛帯６に設けた目盛り７の０点が当接部５に一致するように位置される。
【００１６】
上記本例の固定具付き巻尺Ａによると、目盛帯６の先端に固定した固定具１のクリップ部４によって被測定物Ｂの端部にある板状部位を挟持することで、被測定物Ｂの端部に目盛帯６の先端を取り付けることができるのである。なお、端部に板状部位のある被測定物Ｂにはたとえば薄板壁３０ａで主体が形成される軒樋３０が挙げられる。そして、図１，３には、本例の固定具付き巻尺Ａを用いて行った軒樋３０の長手方向の端部からの寸法測定作業を示している。この場合、目盛帯６の先端に固定した固定具１のクリップ部４によって、軒樋３０の長手方向の端部にある任意の薄板壁３０ａを挟持することで、目盛帯６の先端を軒樋３０の長手方向の端部に取付けることが可能にされている。つまり、本例の固定具付き巻尺Ａを用いた軒樋３０の長手方向の端部からの寸法測定作業にあっては、従来必要とされた巻尺Ｂの目盛帯６の先端を軒樋３０の長手方向の端部に保持固定させる施工者Ｄが不要となり、目盛り７を読む一人の施工者Ｅのみで行わせることができて作業の容易化が図られているのである。なお、角型や丸型など形状の異なる軒樋３０でも一般的にその主体は薄板壁３０ａで構成されているので、被測定物Ｂの板状部位を挟み付けるクリップ部４によると、角型や丸型の軒樋３０の形状を問わずに、軒樋３０の長手方向の端部に目盛帯６の先端を取付けることができるのは言うまでもない。
【００１７】
また、本例の固定具付き巻尺Ａによると、クリップ部４が軒樋３０の長手方向の端部を挟持した際には、クリップ部４の先端に設けた爪８が挟持圧を高めて軒樋３０の表面に引っ掛かるようになり、軒樋３０の長手方向の端部への目盛帯６の先端の取付強度の向上も図られている。更に言うと、上記固定具１には目盛り７の０点に一致させた当接部５を備えているから、クリップ部４に挟持させた軒樋３０の長手方向の端部を当接部５に当接させるだけで、軒樋３０の長手方向の端部が目盛り７の０点に位置するようになり、軒樋３０の長手方向の端部からの寸法測定作業の利便性の向上も図られている。なお、当接部５が目盛り７の０点に一致しない場合にも、目盛帯６の先端と軒樋３０の長手方向の端部との距離を一定に保つことができることから、目盛り７を読むときには一定値である当接部５と目盛り７の０点とのズレのみを考慮に入れればよく、少なくとも寸法測定の正確性は確保されるものである。
【００１８】
図４、５には本発明の実施の形態の他例を示す。この例は、固定具１の一部が先の実施の形態の例（図１〜３）の変更例であり、先の実施の形態の例の固定具１と同様部分は説明を省略し、異なる部位につき説明する。本例の固定具１は、基端部に固定部１２を一体に形成した第１扁平板材１６から成る第１の挟持部２ａと、基端部に掴み部１３を一体に形成した第２扁平板材１７から成る第２の挟持部２ｂと、バネ３を構成する板バネ材１８とを有し、対向して配置した一対の挟持部２を板バネ材１８で連結したことで形成されている。つまり、本例の固定具１は、先の固定具１とは異なり板バネ材１８が一対の挟持部２とは異なる部材で構成されるから、板バネ材１８を取り替ればクリップ部４の挟持力を変更できる利点がある。また詳しくは、被測定物Ｂの板状部位を挟持する一対の挟持部２の先端同士はある程度の接触面積を有するように形成されており、また、爪８は一方の挟持部２にのみ設けられると共に、挟持部２の先端側から基端側に向けて傾斜をするように突設されている。この爪８によると、爪８の傾斜方向が一対の挟持部２の間に被測定物Ｂの板状部位を挿入する方向と同方向であり、一対の挟持部２の間への被測定物Ｂの板状部位のスムーズな挿入を確保すると共に一対の挟持部２の間からの被測定物Ｂの板状部位の抜けを有効に防止できるようにされている。また、本例の当接部５は、クリップ部４内の第１の挟持部２ａの部位（第１の挟持部２ａの対向面）から立設されてクリップ部４への被測定物Ｂの挿入方向に対して略直交する面を備えた立ち上がり片１９にて構成されており、図５のようにクリップ部４に挿入した被測定物Ｂの端部を正確に当接部５に当接させ得るようにしている。なお図示はしないが、この立ち上がり片１９は、第１扁平板材１６に切り込みを入れて第２扁平板材１７に向けて切り起こすように形成してもよく、これによると固定具１の製造の容易化を図ることができる。
【００１９】
図６，７には本発明の実施の形態の更に他例を示す。本例の固定具１は、図４の固定具１の基本構造を踏襲した上で、巻尺の通常使用時（クリップ部４の不使用時）において目盛帯６の先端を被測定物Ｂに当接させることのできる当り部９が設けられている。この当り部９は固定部１２及び当接部５を備えた第１の挟持部２ａに設けられており、詳しくは、第１の挟持部２ａの対向面と反対側の板面で且つ当接部５に対応する位置に設けられている。つまり、当り部９は、クリップ部４に挟持した被測定物Ｂの端部が当らない位置で目盛帯の長さ方向における当接部５と同位置に位置しており、当接部５と同様に目盛り７の０点に一致する位置に設けられている。本例の固定具付き巻尺Ａによると、クリップ部４によって軒樋３０などの被測定物Ｂに目盛帯６の先端を取付けて行う寸法測定（図５参照）も、また図７のように桟材３１などの被測定物Ｂに目盛帯６の先端を当接させて行う通常の寸法測定（巻尺の通常使用）もできるのであって、つまり固定具付き巻尺Ａの汎用性が向上されているものである。
【００２０】
図８には本発明の実施の形態の更に他例を示す。本例の固定具１は、対向する一対の挟持部２の対向面にそれぞれ枢支部２０を設け、これら枢支部２０同士をバネ（図示せず）を介して回転自在に連結し、第２の挟持部２ｂの先端部に第１の挟持部２ａに向けて突片１０を突設すると共に、第１の挟持部２ａの先端部に穿孔した貫通孔１１に上記突片１０を貫通させるようにして構成されている。ここで、上記突片１０は、貫通孔１１を貫通する以前の部分で当接部５を構成させており、また、貫通孔１１を貫通した以後の部分で当り部９を構成させている。つまり、本例の固定具１では、一対の挟持部２における対向する側及び対向しない側に位置する当接部５及び当り部９を一の突片１０によって構成させることができ、固定具付き巻尺Ａの構成の簡単化、ひいては製造の容易化が図られている。なお、詳しくは、本例の突片１０は、第１の挟持部２ａの先端部にコ字状の切り込み２１を入れて、この切り込み２１にて囲まれる第１の挟持部２ａの部位を第２の挟持部２ｂに向けて切り起こしたことで形成されており、この点でも固定具付き巻尺Ａの製造の容易化が図られている。
【図面の簡単な説明】
【００２１】
【図１】本発明の実施の形態の例の固定具付き巻尺の使用状態を示す斜視図である。
【図２】同上の固定具であり、（ａ）は正面図であり、（ｂ）は上面図であり、（ｃ）は側面図である。
【図３】同上の軒樋の長手方向の端部からの寸法測定作業を説明する斜視図である。
【図４】本発明の実施の形態の他例の固定具付き巻尺における固定具であり、（ａ）は正面図であり、（ｂ）は上面図であり、（ｃ）は側面図であり、（ｄ）はクリップ部を開いた状態の正面図である。
【図５】同上の固定具付き巻尺の使用状態を示す一部透視斜視図である。
【図６】本発明の実施の形態の更に他例の固定具付き巻尺における固定具であり、（ａ）は正面図であり、（ｂ）は上面図であり、（ｃ）は側面図であり、（ｄ）はクリップ部を開いた状態の正面図である。
【図７】同上の固定具付き巻尺の他の使用状態を示す斜視図である。
【図８】本発明の実施の形態の更に他例の固定具付き巻尺における固定具であり、（ａ）は正面図であり、（ｂ）は上面図であり、（ｃ）は側面図であり、（ｄ）はクリップ部を開いた状態の正面図である。
【図９】従来の軒樋の長手方向の端部からの寸法測定作業を説明する斜視図である。
【符号の説明】
【００２２】
１  固定具
２  挟持部
３  バネ
４  クリップ部
５  当接部
６  目盛帯
７  目盛り
８  爪
９  当り部
１０  突片
１１  貫通孔
３０  軒樋
Ａ  固定具付き巻尺
Ｂ  被測定物
【図１】
2005134122.tif 000003
【図２】
2005134122.tif 000004
【図３】
2005134122.tif 000005
【図４】
2005134122.tif 000006
【図５】
2005134122.tif 000007
【図６】
2005134122.tif 000008
【図７】
2005134122.tif 000009
【図８】
2005134122.tif 000010
【図９】
2005134122.tif 000011